(57)【要約】【課題】本発明は携帯型移動通信機器の撮影モジュールのシャッターに装設し、且つ前記シャッターのヨークの一側に隣接する４極以上を有する磁石部材を提供する。【解決手段】前記磁石部材は円盤部と駆動部を含む。円盤部には４極以上のＮ極とＳ極が形成される。円盤部は円環側面、及び対向する第１端面と第２端面を有する。駆動部は円盤部の第１端面と第２端面のうちの一方から垂直方向に沿って突伸してなる。前述の内容から、駆動部は円盤部の端面から突伸してなることによって、磁化した際に、円盤部に４極以上のＮ極とＳ極を形成することができ、大量生産に役立つ。【選択図】図３
2011081168.tif 000002
【特許請求の範囲】
【請求項１】
携帯型移動通信機器の撮影モジュールのシャッターに装設する４極以上を有する磁石部材であって、前記磁石部材は、
４極以上のＮ極とＳ極が形成され、円環側面、前記円環側面に対向して連接する第１端面と第２端面、及び前記第１、第２端面を貫通する軸孔を有する円盤部と、
前記円盤部の第１、第２端面のうちの一方から垂直方向に沿って突伸してなる駆動部と
を含むことを特徴とする４極以上を有する磁石部材。
【請求項２】
前記円盤部のＮ極とＳ極は交差する様に環設され前記円盤部に排列形成されることを特徴とする請求項１に記載の４極以上を有する磁石部材。
【請求項３】
携帯型移動通信機器の撮影モジュールのシャッターであって、
中央に絞りを設け且つ２本の旋回柱を設けた基板と、
それぞれ前記基板の側辺に設置したヨーク、前記ヨークに巻装したコイル、及び前記ヨークの一側に隣接し且つ回転可能な磁石部材を備え、各磁石部材は円盤部と駆動部を備え、前記円盤部は４極以上のＮ極とＳ極が形成され、前記円盤部は円環側面、前記円環側面に対向して連接する第１端面と第２端面、及び前記第１、第２端面を貫通する軸孔を有し、前記駆動部は前記円盤部の第１、第２端面のうちの一方から垂直方向に沿って突伸してなり、前記基板の旋回柱は前記磁石部材の軸孔を貫通する２つの電磁弁と、
前記基板に組み込まれ且つ前記２つの電磁弁のうちの１つの磁石部材の駆動部が端部に係合され、この駆動部によって駆動されて前記基板の絞りを遮蔽したり開放したりする第１羽根と、
前記基板に組み込まれ且つ前記第１羽根の上方にあるスペーサと、
前記スペーサの上方に設けられ且つ前記２つの電磁弁のもう一方の磁石部材の駆動部が端部に係合され、この駆動部により駆動されて前記基板の絞りを遮蔽したり開放したりする第２羽根と、
を含むことを特徴とする携帯型移動通信機器の撮影モジュールのシャッター。
【請求項４】
前記２つの電磁弁の磁石部材の円盤部のＮ極とＳ極は交差する様に環設され前記円盤部に排列形成されることを特徴とする請求項３に記載の携帯型移動通信機器の撮影モジュールのシャッター。
【発明の詳細な説明】
【技術分野】
【０００１】
本発明は磁石に関し、特に４極以上のＮ極とＳ極を形成する磁石部材と前記磁石部材を応用したシャッターに関する。
【背景技術】
【０００２】
ハンディタイプの通信電子製品の普及に伴い、また撮影機能を備えたニーズに対して、目下ハンディタイプの通信電子製品は撮影レンズを大方配備すると共に、その上にシャッターを設けることによって、露出時間を制御している。シャッターは主に基板、基板上に設けた電磁弁、及び電磁弁と結合する羽根を含み、羽根が作動することによって、絞りが開いたり閉じたりして光線の進入時間を制御している。電磁弁は通常磁石、ヨーク、ヨークに巻装するコイルで構成され、コイルが通電すると、磁石の両極であるＮ極とＳ極の作用によって、羽根が予期した作動を行う。
【０００３】
しかし、シャッターの動作制御のニーズについては、シャッター時間を制御する他に、さらに同時に絞り制御の動作ニーズを備えることが必要である。こうなると、羽根の動作制御が一層複雑化する。一般的に、磁石を４極以上の磁気領域に磁化形成することができるが、つまりＮ極、Ｓ極、Ｎ極、Ｓ極といった排列を有し、ヨークとコイルが通電する組合せで、磁石が複数種類の順、逆回転する変化をすることによって、羽根の制御を多段式変化にして、シャッターと絞りを制御するニーズを達成する。
【０００４】
図１に示すように、従来の一般的な磁石１１は主に上盤部１１１と下盤部１１２、上盤部１１１の側縁から水平に突出したアーム部１１３、及びアーム部１１３の末端から垂直に突伸させた駆動部１１４を有する。駆動部１１４は羽根の中に貫通して、磁石１１が回転する際、羽根をそらすことができる。
【０００５】
今のところ、磁石１１は大部分が鉄、コバルト、ニッケルのような強磁性を有する金属で製造されており、最終的に磁化によって磁極を形成して磁石を構成するものの、この種の構造設計の磁石１１は両極を磁化して形成した磁極を提供することができるに留まり、図２で示すように、４極を磁化して形成する磁極を提供すると、突出したアーム部１１３が磁化設備１２に干渉して、磁石１１を回転させて磁化して４極の磁気領域を形成することができないため、この種の磁石１１は動作制御が複雑なシャッター内に組み込むことができない。
【０００６】
そこで、本発明人は上記の欠点が改善可能と考え、つぶさに観察、研究して、合理的設計で上記の欠点を効果的に改善した本発明を提案するものである。
【先行技術文献】
【特許文献】
【０００７】
【特許文献１】特開２００８−０７６４５１号公報
【発明の概要】
【発明が解決しようとする課題】
【０００８】
本発明の目的は、磁化し易くて４極以上の磁極を形成することができ、大量生産に役立つ磁石部材を提供することである。
【０００９】
本発明の別の目的は、上記の磁石部材を備えて動作制御の複雑化を要するシャッターに運用することであり、このシャッターは携帯型移動通信機器の撮影モジュール内に応用される。
【課題を解決するための手段】
【００１０】
本発明は円盤部と駆動部を含む４極以上を有する磁石部材を提供する。円盤部は４極以上のＮ極とＳ極が形成され、円環側面、円環側面に対向して連接する第１端面と第２端面、及び第１、第２端面を貫通する軸孔を有する。駆動部は円盤部の第１、第２端面のうちの一方から垂直方向に沿って突伸してなる。
【００１１】
上記の別の目的を達するために、本発明は基板、２つの電磁弁、第１羽根、スペーサ、2枚の第２羽根を含む携帯型移動通信機器の撮影モジュールのシャッターを提供する。基板は絞りと２本の旋回柱を有し、電磁弁はそれぞれ基板の側辺に設置されたヨーク、ヨークに巻装されたコイル、及びヨークの一側に隣接し、且つ回転可能な磁石部材を備える。各磁石部材は上記に説明したうちの円盤部と駆動部を備え、基板の旋回柱は前記磁石部材の軸孔を貫通する。第１羽根は基板に組み込まれ、且つ２つの電磁弁のうちの１つの磁石部材の駆動部に係合され、この駆動部により駆動されて基板の絞りを遮蔽したり開放したりする。スペーサは基板に組み込まれ、第２羽根はスペーサの上方に設けられ、且つ２つの電磁弁のもう一方の磁石部材の駆動部に係合され、この駆動部により駆動されて基板の絞りを遮蔽したり開放したりする。
【発明の効果】
【００１２】
本発明が有する効果は次の通りである。駆動部が円盤部の端面から突伸してなり、磁化した際に、駆動部は磁化設備に干渉することはなく、このため設計時のニーズに応じて円盤部に４極以上のＮ極とＳ極を形成することができ、大量生産に役立ち、さらに動作制御の複雑化を要するシャッター内に運用されて、需要者が求める機能を達成する。
【００１３】
本発明が上述の目的を達するために採用した技術、方法及び効果を一層理解できるよう、以下に本発明に関する詳細説明と添付図面を参照することで、本発明の目的、特徴がこれによって深く具体的に理解されると信じる。然しながら、添付図面は参考及び説明用に供したに過ぎず、本発明に制限を課すものではない。
【図面の簡単な説明】
【００１４】
【図１】従来の磁石の概略斜視図である。
【図２】従来の磁石と磁化設備が磁化する際の概略図である。
【図３】本発明の磁石部材の斜視図である。
【図４】本発明の磁石部材と磁化設備が磁化する際、４極の磁極を形成することを示した概略図である。
【図５】本発明の磁石部材が６極の磁極を形成する概略図である。
【図６】本発明のシャッターの第１組合せの平面図である。
【図７】本発明のシャッターの第２組合せの平面図であり、第１羽根が遮蔽状態であることを示している。
【図８】本発明のシャッターの第３組合せの平面図であり、第１羽根が開放状態であることを示している。
【図９】本発明のシャッターの第４組合せの平面図であり、第２羽根が遮蔽状態であることを示している。
【図１０】本発明のシャッターの第５組合せの平面図であり、第２羽根が開放状態であることを示し、しかも第２羽根の状態をはっきり示すためにスペーサを撤去している。
【発明を実施するための形態】
【実施例】
【００１５】
図３は本発明が提供する円盤部２１と駆動部２２を含む４極以上を有する磁石部材２０である。
【００１６】
円盤部２１は円環側面２１１、円環側面に対向して連接する第１端面２１２と第２端面２１３、及び第１、第２端面２１２、２１３を貫通する軸孔２１４を有する。駆動部２２は円盤部２１の第１、第２端面２１２、２１３のうちの一方から垂直方向Ｚに沿って突伸（突設）してなる。
【００１７】
図４に示すように、磁石部材２０の磁化が必要な場合、駆動部２２が円盤部２１の端面から突伸してなり、円盤部２１の側縁から突伸してなるのでないことから、磁化する際に、駆動部２２が磁化設備９に干渉することはなく、このため設計時のニーズに応じて、円盤部２１に４極以上且つ偶数のＮ極とＳ極を形成することができる。図４に示すように、円盤部２１が４極のＮ極とＳ極を形成するか、又は図５に示すように、円盤部２１’が６極のＮ極とＳ極を形成する。このうち、円盤部２１のＮ極とＳ極は交差する様に環設して円盤部２１に排列形成する。
【００１８】
図６に示すように、本発明の磁石部材２０は携帯型移動通信機器の撮影モジュールのシャッター２に装設するのに提供され、前記の携帯型移動通信機器は携帯電話やＰＤＡ等でよい。前記シャッター２には基板３０、基板３０の側辺に設置した２つのヨーク４０、ヨーク４０にそれぞれ巻装したコイル５０を備える。基板３０の中央には絞り３１が設けられる。基板３０上には２本の旋回柱３２が設けられ、それぞれ別の磁石部材２０の軸孔２１４に貫通されている。これにより２つの磁石部材２０が回転可能に基板３０に設けられる。しかも２つの磁石部材２０はそれぞれ別のヨーク４０の一側に隣接して配置され、２つのヨーク４０と２つのコイル５０とで２つの電磁弁を構成する。
【００１９】
図７に示すように、基板３０上に第１羽根６０を設け、磁石部材２０の駆動部２２はこの第１羽根６０の端部に係合され、第１羽根６０を作動させ、図７、図８に示すように、続いて絞り３１を開放したり遮蔽したりすることができる。
【００２０】
図９に示すように、基板３０上にさらにスペーサ７０を設けることができ、第１羽根６０の上方に位置すると共に、スペーサ７０の上方にさらに2枚の第２羽根８０を設けて、もう１つの磁石部材２０の駆動部２２はこの2枚の第２羽根８０の端部に係合され、第２羽根８０を作動させ、図９、図１０で示すように、絞り３１を開放したり遮蔽したりすることができる。また、基板３０の２本の旋回柱３２はそれぞれ第１羽根６０と第２羽根８０の端部を貫通して、羽根が回転する中心とする。上記により、第１羽根６０はシャッター羽根でよく、第２羽根８０は絞り羽根でよいが、磁石部材２０の磁極とコイル５０が通電した後の正負極間の相互の組合せや作用によって、磁石部材２０は多段式の回転をして羽根の軌跡を制御することができ、さらに絞りのサイズやシャッター時間を制御することができる。
【００２１】
総合的に述べると、本発明の磁石部材の構造設計により、磁石が磁化した際に４極以上を形成する磁極をスムースに達成することができて大量生産に役立ち、さらに動作制御の複雑化を要するシャッターに運用して、需要者が必要とする機能を達成する。
【００２２】
上記に開示した図面、説明は本発明の実施例に過ぎず、その発明の属する技術の分野における通常の知識を有する者が上記の説明に基づいてその他各種の改良を行った場合、これらの変更は本発明の発明精神並びに以下に定義する特許の範囲に属するものとする。
【符号の説明】
【００２３】
［従来］
１１    磁石
１１１  上盤部
１１２  下盤部
１１３  アーム部
１１４  駆動部
１２    磁化設備
［本発明］
２０    磁石部材
２１、２１’  円盤部
２１１  円環側面
２１２  第１端面
２１３  第２端面      
２１４  軸孔
２２    駆動部
２      シャッター
３０    基板
３１    絞り
３２    旋回柱
４０    ヨーク
５０    コイル
６０    第１羽根
７０    スペーサ
８０    第２羽根
９      磁化設備
Ｚ      垂直方向
【図１】
2011081168.tif 000003
【図２】
2011081168.tif 000004
【図３】
2011081168.tif 000005
【図４】
2011081168.tif 000006
【図５】
2011081168.tif 000007
【図６】
2011081168.tif 000008
【図７】
2011081168.tif 000009
【図８】
2011081168.tif 000010
【図９】
2011081168.tif 000011
【図１０】
2011081168.tif 000012